(57)【要約】【課題】バーマグネットの外周に付着している磁性金属粉や片をほぼ完全に除去でき、温度変化や摩耗が生じても効果の低下がなく、長期間使用できる簡便，安価な異物除去用リングを提供する。【解決手段】異物除去用リング１は非磁性体からなり、中空円筒体２にスリット３を設けたものからなり、スリット３は中空円筒体２の軸線に対して傾斜して形成される。これにより、中空円筒体２は常にバーマグネット５の外周に密接して異物８をシゴキ落とすことができる。また、スリット３の傾斜により異物８の外部排出が防止される。【選択図】図４
0003109009.tif 000002
【実用新案登録請求の範囲】
【請求項１】
バーマグネットに挿着され前記バーマグネットの軸線方向に移動により前記バーマグネットの外周に付着している異物を除去するための異物除去用リングであって、該リングは、非磁性体の中空円筒体からなり、その一端側から他端側に向かって前記中空円筒体を切断するスリットを有するものからなり、該スリットは、前記一端側の開口部と他端側の開口部とが円周上の異なる位置に開口することを特徴とする異物除去用リング。
【請求項２】
前記スリットが直線又は曲線又は段付き状のものからなることを特徴とする請求項１に記載の異物除去用リング。
【請求項３】
前記スリットの巾寸法が可変のものからなることを特徴とする請求項１又は２に記載の異物除去用リング。
【考案の詳細な説明】
【技術分野】
【０００１】
本考案は、バーマグネットの外周に付着している磁粉や金属片や塵埃等の異物を除去するリングに係り、特にバーマグネットに挿着され軸線方向の移動により前記異物をシゴキ除去する異物除去用リングに関する。
【背景技術】
【０００２】
異物の磁気分離除去装置内に設置されているバーマグネットの外周には着磁した金属粉や片及び塵埃等が付着する。この付着によりバーマグネットの磁力が低減し、異物の磁気分離が効果的に行われなくなる。これを防止すべくバーマグネットはこれ等の異物除去を定期的に行う必要がある。このため、各種の異物除去手段が従来より採用されている。その数例として「特許文献１」や「特許文献２」が挙げられる。
【特許文献１】特開２００１−９３２２号（図２）
【特許文献２】ＵＳパテント５１９０１５９号（Ｆｉｇ５）
【考案の開示】
【考案が解決しようとする課題】
【０００３】
「特許文献１」の特開２００１−９３２２号の「着磁金属異物の除去方法とその装置」は、真鍮等の非磁性体で作られた中空状の円筒を有するものからなり、その内孔には非磁体のガイドチューブと磁性体のリングを嵌着したものからなる。この円筒をバーマグネットに挿入し、これを軸線方向に沿って移動させて前記リング異物を磁着し除去するものである。一方、「特許文献２」のＵＳパテント５１９０１５９号の“Ｓｅｌｆ−ｃｌｅａｎｉｎｇ  ｇｒａｔｅ  ｍａｇｎｅｔ  ａｎｄ  ｂｕｓｉｎｇ”は、新規性のある磁気分離装置を開示するものであるが、そのＦｉｇ５に異物除去用のリングが開示されている。このものは、図示のように外周に段部を有する中空円筒体からなり、その内孔にワイパリングを嵌着し、このワイパリングによりバーマグネットの外周に付着している異物を除去するものである。但し、このワイパリングの材質については明確に開示されていないが、非磁性体からなると推定される。
【０００４】
前記の公知例は、いずれも異物除去に効果的のものではあるが、前者は磁性体のリングを使用する必要があり、この磁力により異物を磁着せしめて除去すると共にバーマグネット側の着磁力を低下させて異物除去するものであるが、磁力の低下やリングの摩耗等により異物除去が完全に行われにくくなる問題点がある。また、リングとバーマグネット側との間に介在物がつまることにより円筒がバーマグネット軸線方向に平滑に移動しなくなる問題点がある。一方、後者はワイパリングを用いるため前記のような問題点は生じないが、ワイパリングが摩耗し易く、耐久性がなく、かつ異物除去効果が次第に、低下する問題点がある。
【０００５】
本考案は、以上の問題点を解決するもので、温度変化や摩耗が生じてもリングがバーマグネットの外周に常時密接し、異物除去が円滑，確実に行われ、耐久性があり、かつ比較的安価に実施できる異物除去用リングを提供することを目的とする。
【課題を解決するための手段】
【０００６】
本考案は、以上の目的を達成するために、請求項１の考案は、バーマグネットに挿着されて前記バーマグネットの軸線方向の移動により前記バーマグネットの外周に付着している異物を除去するための異物除去用リングであって、該リングは、非磁性体の中空円筒体からなり、その一端側から他端側に向かって前記中空円筒体を切断するスリットを有するものからなり、該スリットは、前記一端側の開口部と他端側の開口部とが円周上の異なる位置に開口することを特徴とする。
【０００７】
また、請求項２の考案は、前記スリットが直線又は曲線又は段付き状のものからなることを特徴とする。
【０００８】
また、請求項３の考案は、前記スリットの巾寸法が可変のものからなることを特徴とする。
【考案の効果】
【０００９】
本考案の請求項１の考案によれば、バーマグネットの外周に付着している異物は、バーマグネットに密接に挿着されている異物除去用リング又はバーマグネットを軸線方向に移動することによりシゴキ落とされてほぼ完全に除去される。この異物除去用リングはスリットを形状するものからなり、温度変化や摩耗が生じても常にバーマグネット側に密接し異物除去効果が低下することはない。また、このスリットは移動方向に対して傾斜して形成されているため、除去された異物がスリットを介して外部に排出されることがない。即ち、異物除去がほぼ完全に行われる。また、磁性体や摩耗しやすいワイパリングのようなものを使用しないため耐久性は高い。
【００１０】
また、請求項２の考案によれば、スリットが特に曲線又は段付き状に形成されることにより、スリットを介しての異物の外部への排出がなくなり、異物除去の一層の効果が上げられる。
【００１１】
また、請求項３の考案によれば、スリットの巾を可変にすることにより、スリットを介しての異物の外部への排出が少なくなり、一層の異物除去効果が上げられる。
【考案を実施するための最良の形態】
【００１２】
以下、本考案の異物除去用リングの実施の形態を図面を参照して詳述する。図１及び図２は本考案の異物除去用リング１を示す。異物除去用リング１は、非磁性体からなる中空円筒体２からなり、その一部にはスリット３が形成される。
【００１３】
中空円筒体の内孔４は、異物除去の行われるバーマグネット５（図４）の外周に固く挿着される寸法からなり、より具体的には可変な寸法のものからなる。この内孔４の寸法が、仮りにバーマグネット５の外径よりも小径であったとしてもスリット３の存在により内孔４は開き気味となり、バーマグネット５の外周に常時密接し得るものからなる。
【００１４】
スリット３は、図１，図２に示すように中空円筒体２の一部を切断するものからなり、中空円筒体２の軸線方向に対して傾斜して形成される。即ち、スリット３の中空円筒体２の一端側の開口部６と他端側の開口部７とは中空円筒体２の円周上の異なる再度位置に形成されるものからなる。なお、図１に示すスリット３の巾寸法は図示のように均一巾のものからなるが、例えば、図３に示すように、可変に形成されてもよい。図３では一端側（バーマグネット５に当初挿着される側）の開口部６が広く、他端側の開口部７に行くに従って巾寸法が狭くなるものでもよい。勿論、これに限定するものではない。
【００１５】
図４は、本考案の異物除去用リング１を用いてバーマグネット５の外周に付着している異物８を除去する方法を示す模式図である。まず、バーマグネット５の一端側に異物除去用リング１の一端側を挿着し、この状態から何等かの移動手段によりバーマグネット５又は異物除去用リング１をその軸線方向に沿って移動させることにより、異物８は異物除去用リング１によりシゴかれてバーマグネット５の外周に図示のように堆積する。この場合、スリット３が図５に示すように傾斜しないで移動方向に対して真直に形成されていると異物８の一部がスリット３内に比較的容易に進入し、これが外部側に排出され、その一部がシゴキの終了したバーマグネット５の外周に再付着する不具合が生ずる。一方、本考案の異物除去用リング１のようにスリット３が傾斜していると図４に示すように異物８はスリット３内に殆ど進入しない。これにより、再付着が防止される。以上のように、本考案の異物除去用リング１をバーマグネット５に挿着し、軸線方向に沿ってバーマグネット５を移動させるだけで異物の完全除去が行われる。
【００１６】
前記のように、中空円筒体２はスリット３により常時バーマグネット５に密接し、シゴキ効果を上げているが、仮りに温度変化が生じて異物除去用リング１の内孔４とバーマグネット５との間に隙間が生じようとしてもスリット３の巾寸法の縮小により両者の密接性は保持される。また、仮りに異物除去用リング１の内孔４が摩耗してスリット３により内孔４が縮寸され、異物除去用リング１とバーマグネット５との密接状態が保持される。以上により、長期間にわたり、ほぼ完全なシゴキ効果が保持され、異物除去の完全化が図れる。
【実施例１】
【００１７】
図１，図２等に示したスリット３は、直線状のものであるが、このスリット３は図６のように曲線状スリット３でもよく、また、図７に示すように段付き状スリット３ｂでもよい。スリット６ａや６ｂのような形状にするみとにより、スリットを介しての異物の外部排出がより完全に防止され、異物除去効果を一層に向上することができる。なお、スリット６の形状はスリット６ａやスリット６ｂのものに限定するものでないことは勿論である。
【産業上の利用可能性】
【００１８】
本考案の異物除去用リングは主にバーマグネットの異物除去に利用されるが、付着異物を除去する手段として他の用途にも広く使用可能である。
【図面の簡単な説明】
【００１９】
【図１】本考案の異物除去用リングの外観構造を示す模式的斜視図。
【図２】図１のＡ矢視側面図。
【図３】巾寸法の可変のスリットの一例を示す平面図。
【図４】本考案の異物除去用リングの使用方法を説明するための模式的平面図。
【図５】本考案の異物除去用リングの異物除去効果を説明するための模式的平面図。
【図６】本考案の異物除去用リングの他の実施例を示す平面図。
【図７】本考案の異物除去用リングの他の実施例を示す平面図。
【符号の説明】
【００２０】
１    異物除去用リング
２    中空円筒体
３    スリット
３ａ  スリット（曲線状）
３ｂ  スリット（段付き状）
４    内孔
５    バーマグネット
６    開口部（一端側）
７    開口部（他端側）
８    異物
【図１】
0003109009.tif 000003
【図２】
0003109009.tif 000004
【図３】
0003109009.tif 000005
【図４】
0003109009.tif 000006
【図５】
0003109009.tif 000007
【図６】
0003109009.tif 000008
【図７】
0003109009.tif 000009